(57)【要約】      （修正有）【課題】プリント配線板の配線パターンの構成に影響を与えることなく取り付け得る面実装用トランスを提供すること。【解決手段】フェライトコアに巻線が巻装されて構成されたトランス本体１０と、前記トランス本体を載置するのに必要な大きさを有する絶縁基板２１の少なくとも一面に配線パターンが形成され、かつ前記絶縁基板の周囲に巻線の端部を接続するための接続用端子２２が形成された台座２０とをそなえた面実装用トランス。【選択図】図１
0003115597.tif 000002
【実用新案登録請求の範囲】
【請求項１】
フェライトコアに巻線が巻装されて構成されたトランス本体と、
前記トランス本体を載置するのに必要な大きさを有する絶縁基板の少なくとも一面に配線パターンが形成され、かつ前記絶縁基板の周囲に前記巻線の端部を接続するための接続用端子が形成された台座と
をそなえた面実装用トランス。
【請求項２】
請求項1記載の面実装用トランスにおいて、
前記絶縁基板は、両面に配線パターンを有することを特徴とする面実装用トランス。
【請求項３】
請求項１記載の面実装用トランスにおいて、
前記巻線の端部は、前記接続用端子に半田付けされたことを特徴とする面実装用トランス。
【請求項４】
請求項1記載の面実装用トランスにおいて、
前記接続用端子は、前記配線パターンを用いたものであることを特徴とする面実装用トランス。
【請求項５】
請求項１記載の面実装用トランスにおいて、
前記配線パターンを前記絶縁基板の両面に設け、
前記配線パターンの一方をアースパターンとし、他方の配線パターンは面積を調整可能としたことを特徴とする面実装用トランス。
【考案の詳細な説明】
【技術分野】
【０００１】
本考案は、面実装される高周波トランスに係わり、とくにフェライトコアを用いたトランスに関する。
【背景技術】
【０００２】
従来、プリント配線板上に取り付けられるトランスは、図６(a)，(b)に示すように、トランス１０の巻線２０から引き出した端部をプリント配線板３０の配線パターンを用いて形成された端子に半田付け接続することにより、電気的接続および機械的取付けを行っている（特許文献１）。
【特許文献１】特開2002-271161号公報
【考案の開示】
【考案が解決しようとする課題】
【０００３】
図６に示すように、巻線２０の端部をプリント配線板３０の配線パターンに接続する場合、巻線２０の端部を接続する配線パターンを形成すると、この配線パターンが設けられる部分にはアース用配線パターンを設けることができない。これは、プリント配線板の高周波特性に大きな影響を与えることになり、プリント配線板の設計上で問題がある。
【０００４】
そこで、高周波特性を確保するため、特許文献１では金属板４０を付加してアース用配線パターンを補うようにしており、プリント配線板には金属板接続用端子を設けている。
【０００５】
しかしながら、プリント配線板と別個に金属板を用意すること、およびプリント配線板に金属板接続用端子を設けること、さらにそれらを利用して接続を行うことは部品点数が増えかつ作業的に煩雑である。
【０００６】
本考案は上述の点を考慮してなされたもので、プリント配線板の配線パターンの構成に影響を与えることなく取り付け得る面実装用トランスを提供することを目的とする。
【課題を解決するための手段】
【０００７】
上記目的達成のため、本発明では、
フェライトコアに巻線が巻装されて構成されたトランス本体と、
前記トランス本体を載置するのに必要な大きさを有する絶縁基板の少なくとも一面に配線パターンが形成され、かつ前記絶縁基板の周囲に前記巻線の端部を接続するための接続用端子が形成された台座と
をそなえた面実装用トランス、
を提供するものである。
【考案の効果】
【０００８】
本考案は上述のように、少なくとも一面に配線パターンが形成された台座にトランス本体を組み合わせたため、面実装用トランス自体に接続用端子が設けられており、トランス本体が組み付けられるプリント配線板に接続用端子および金属板接続用端子を形成する必要がないから、プリント配線板の設計上極めて好都合である。
【考案を実施するための最良の形態】
【０００９】
以下、添付図面を参照して本考案の実施例を説明する。
【実施形態１】
【００１０】
図１は、本考案に係る面実装用トランスの一構成例を示した斜視図である。この面実装用トランスは、トランス本体１０と台座２０とにより構成されている。トランス本体１０は、フェライトコア１１に巻線１２が巻装されたもので、
巻線１２の端部が台座２０の部品載置部２１の周縁に設けられた接続端子２２に巻き付けられ、半田仕上げされている。
【００１１】
この面実装トランスは、台座２０をプリント配線板（図示せず）に設けられたトランス設置位置に載置して、プリント配線板の配線パターンに設けられた端子に台座２０の接続端子２２を半田付け接続する。
【００１２】
この構成では、台座２０の全ての辺に接続端子が設けられているから、プリント配線板の配線パターンを構成する上で設計の自由度が大きい。
【００１３】
図２は、本考案に係る面実装用トランスの他の構成例を示した斜視図であり、図示の構成例では、接続端子２２を台座２０の対向する２辺に設けるとともに、接続端子の平面形状をややテーパ状にした構成例を示している。
【００１４】
この構成では、接続端子２２が台座２０の２辺だけに設けられているから、プリント配線板における接続端子が設けられない他の２辺に相当する部分には接続のためのスペースを設ける必要がなく、プリント配線板における接続のために割り当てるスペースを小さくすることができる。
【００１５】
図３(a)，(b)は、台座２０の説明図であり、図３(a)は部品が載置される側（表面側）を示し、図３(b)は図３の状態から左右方向に回転させてプリント配線板に面する側（裏面側）を示している。図３(a)に示すように、台座２０は、部品載置部２１の中央に形成されたアースパターン２３上に載置されたトランス本体１０（図１、２）を支持し、周縁に設けられた接続端子２２にトランス本体１０の巻線端部が巻き付けられ半田付けされる。そして、部品載置部２１にはソルダーレジストが設けられ、このソルダーレジストの上にトランス本体１０が載置される。
【００１６】
一方、図３(b)に示すように、台座２０の裏面側には、中央部をほぼ覆うように、配線パターン２４が形成されている。この配線パターン２４は、端子同士を接続するとともに、表面側のアースパターン２３との協働によって静電容量として作用する。静電容量の大きさは、アースパターン２３と配線パターン２４との対向面積を調整して決める。
【００１７】
このように、台座２０の一方の面に設けられたアースパターンは、いくつかのアース端子同士を接続するものであり、プリント配線板にアースパターンを設け難い場合には、プリント配線板のアースパターンの代替機能を果たすこともできる。そして、このアースパターンは、台座に巻かれた巻線の太さだけプリント配線板から浮いているため、保護カバー等による絶縁の必要はない。
【００１８】
図４は、台座２０の他の例を示している。この場合、接続端子２２は図２に示した例と同様に、台座２０の対向する２辺のみに設けられており、各接続端子２２の側辺はテーパ状もしくは逆テーパ状となっている。
【００１９】
テーパ状とは、接続端子２２の端部から基部に向かって幅が広がっていき、接続端子２２の相互間間隔が端部から基部に向かって狭まっていく形状をいい、逆テーパ状とは、反対に接続端子２２の端部から基部に向かって幅が狭まっていき、接続端子２２の相互間間隔が端部から基部に向かって広がっていく形状をいう。テーパ状は、半田付け作業がし易く、逆テーパ状は巻線の巻付け作業がし易い。
【００２０】
図５(a)ないし(c)は、テレビジョン信号分配器に多用される、インピーダンス整合トランスと信号分配トランスとの組み合わせ回路（図５(a)）、およびその信号分配器用回路に本考案を適用した場合の台座の導電パターン形状（図５(b)，(c)）を示したものである。
【００２１】
この回路では、図５(a)に示すように、インピーダンス整合トランスの中間タップ３と分配トランスの巻線端５，６が相互接続されるので、この接続を台座における端子３，５，６を結ぶ導電パターンにより行う。そのために、台座の表面側には、端子３，５，６を結ぶほぼ３角形の導電パターンを形成しておく。他方、台座の裏面側は、各端子１ないし７を個別の導電パターンにより形成する。
【００２２】
上述のように、本考案では、配線パターンを有する絶縁基板を台座として面実装型トランスを構成したため、いわゆるチップ型であってコンパクトであり、しかもプリント配線板への組付けに際しての作業性が良好なトランスを提供することができる。
【図面の簡単な説明】
【００２３】
【図１】本考案の一実施形態の構成を示す説明図。
【図２】本考案の他の実施形態の構成を示す説明図。
【図３】図３(a)，(b)は本考案に用いる台座の構成例を示す説明図。
【図４】本考案に用いる台座の他の構成例を示す説明図。
【図５】テレビジョン信号分配器の回路に本考案を適用した場合の回路（図５(a)）および端子構造（図５(b)，(c)）を示す説明図。
【図６】図６(a)は従来のアース用金属板を用いるプリント配線板の構成を示す斜視図、図６(b)はその側面図。
【符号の説明】
【００２４】
１０  トランス本体
１１  フェライトコア
１２  巻線
２０  台座
２１  部品載置部
２２  接続端子
３０  プリント配線板
４０  金属板
【図１】
0003115597.tif 000003
【図２】
0003115597.tif 000004
【図３】
0003115597.tif 000005
【図４】
0003115597.tif 000006
【図５】
0003115597.tif 000007
【図６】
0003115597.tif 000008